(57)【要約】【課題】  背もたれの着脱を簡易に行うことができる椅子を提供する。【解決手段】  座部１３が設けられた椅子本体１０Ａに背もたれ枠１０Ｂが設立されている椅子１０であって、該背もたれ枠１０Ｂは、左右一対の側枠１７Ａと背当て１４とを有しており、該椅子本体１０Ａの上部には、該左右一対の側枠１７Ａを装着する装着部として差込筒１７が上向きに設けられており、該差込筒１７に該左右一対の側枠１７Ａを取り付ける、あるいは該差込筒１７から該左右一対の側枠１７Ａを上方へ引き抜くことにより、該背もたれ枠１０Ｂを該椅子本体１０Ａに対して着脱自在にする。【選択図】      図１
2008228811.tif 000002
【特許請求の範囲】
【請求項１】
座部が設けられた椅子本体にコの字形背もたれ枠が設立されている椅子であって、
該背もたれ枠は、左右一対の側枠と背当てとを有しており、
該椅子本体の上部には、該左右一対の側枠を装着する装着部が設けられており、
該装着部に該左右一対の側枠を取り付ける、あるいは該装着部から該左右一対の側枠を上方へ引き抜くことにより、該背もたれ枠を該椅子本体に対して着脱自在にしたことを特徴とする椅子。
【請求項２】
該装着部は、上向きに立設された左右一対の差込筒から構成されており、該左右一対の差込筒間には、腰当てが差渡されている請求項１に記載の椅子。
【請求項３】
該差込筒の上端部には、該側枠の下端部が嵌着される管端キャップが設けられており、該管端キャップと該側枠には挿入孔がそれぞれ設けられ、該管端キャップ及び該側枠の各挿入孔をそれぞれ位置合わせしたうえで、これら挿入孔に係合バーが挿入される請求項２に記載の椅子。
【請求項４】
該管端キャップは、該腰当てと一体にされている請求項３に記載の椅子。
【請求項５】
該係合バーの根端には、該管端キャップを抜止する弾性の切欠きリングが取り付けられている請求項３又は請求項４に記載の椅子。
【請求項６】
該側枠の下端には、がたつき防止用の合成樹脂からなるチャックが取り付けられている請求項３から請求項５のうち何れか一項に記載の椅子。
【発明の詳細な説明】
【技術分野】
【０００１】
本発明は、高齢者、身障者が使用する椅子に関するものである。
【背景技術】
【０００２】
従来、上記のような椅子は、高齢者、身障者等の被介護者が楽に座ることができるように、背もたれが設けられている。また、このような椅子は、取り扱い易いものとするべく、例えば特許文献１に示されるような折り畳み可能なものや、特許文献２に示されるような解体、組み立てを容易化したものが提供されている。
【特許文献１】特開２００４−２６１３２８号公報
【特許文献２】実用新案登録第３０８７２６０号公報
【発明の開示】
【発明が解決しようとする課題】
【０００３】
ところが、上記従来の椅子にあっては、介助者が被介護者の体を洗ったり、後方から脇を抱えて移動させようとしたりする場合に背もたれが邪魔になるという問題がある。また、背もたれを着脱可能とした椅子においても、該背もたれ枠を座部の下面で固定する構成となっているため、背もたれの着脱がしづらいという問題がある。
本発明は、このような従来技術に存在する問題点に着目してなされたものである。その目的とするところは、背もたれの着脱を簡易に行うことができる椅子を提供することにある。
【課題を解決するための手段】
【０００４】
上記の目的を達成するために、請求項１に記載の椅子の発明は、座部が設けられた椅子本体にコの字形背もたれ枠が設立されている椅子であって、該背もたれ枠は、左右一対の側枠と背当てとを有しており、該椅子本体の上部には、該左右一対の側枠を装着する装着部が設けられており、該装着部に該左右一対の側枠を取り付ける、あるいは該装着部から該左右一対の側枠を上方へ引き抜くことにより、該背もたれ枠を該椅子本体に対して着脱自在にしたことを要旨とする。
上記構成によれば、椅子本体の上部に装着部を設け、該装着部に背もたれ枠の側枠を装着、あるいは脱着するようになっている。このため、被介護者を楽に座らせる場合には背もたれ枠を椅子本体に取り付けることができる一方で、背もたれが邪魔になる場合には側枠を上方へ引き抜いて背もたれ枠を椅子本体から取り外すこともでき、背もたれの着脱を簡易に行うことができる。
【０００５】
請求項２に記載の発明は、請求項１に記載の椅子の発明において、該装着部は、上向きに立設された左右一対の差込筒から構成されており、該左右一対の差込筒間には、腰当てが差渡されていることを要旨とする。
上記構成によれば、腰当てを設けたことにより、該腰当てに被介護者の尻が当たるようになるため、背当てと座部との間の空間に被介護者の尻が入り込み、該被介護者の腰が座部の後縁から下方へ落ち込むことを抑制することができる。
【０００６】
請求項３に記載の発明は、請求項２に記載の椅子の発明において、該差込筒の上端部には、該側枠の下端部が嵌着される管端キャップが設けられており、該管端キャップと該側枠には挿入孔がそれぞれ設けられ、該管端キャップ及び該側枠の各挿入孔をそれぞれ位置合わせしたうえで、これら挿入孔に係合バーが挿入されることを要旨とする。
上記構成によれば、管端キャップ及び側枠の各挿入孔をそれぞれ位置合わせしたうえで、これら挿入孔に係合バーが挿入されることにより、背もたれ枠を不意に引き上げたときに、該背もたれ枠が椅子本体から脱着されることを抑制することができる。
【０００７】
請求項４に記載の発明は、請求項３に記載の椅子の発明において、該管端キャップは、該腰当てと一体にされていることを要旨とする。
上記構成によれば、管端キャップが腰当てと一体としたことにより、部品点数を少なくすることができ、椅子の組み立てを容易なものとすることができる。
【０００８】
請求項５に記載の発明は、請求項３又は請求項４に記載の椅子の発明において、該係合バーの根端には、該管端キャップを抜止する弾性の切欠きリングが取り付けられていることを要旨とする。
上記構成によれば、切欠きリングを取り付けたことにより、該管端キャップを抜止することができるとともに、係合バーが挿入孔から抜け落ちることも防止することができ、背もたれ枠が椅子本体から不意に脱着されることを防止することができる。
【０００９】
請求項６に記載の発明は、請求項３から請求項５のうち何れか一項に記載の椅子の発明において、該側枠の下端には、がたつき防止用の合成樹脂からなるチャックが取り付けられていることを要旨とする。
上記構成によれば、背もたれ枠を着脱自在な構成とした椅子にあって、該背もたれ枠が使用時にがたつくことを抑制することができる。
【発明の効果】
【００１０】
本発明によれば、背もたれの着脱を簡易に行うことができる。
【発明を実施するための最良の形態】
【００１１】
以下、本発明の椅子を具体化した一実施形態について説明する。
図１〜図４は順番に、実施形態の椅子を示す、正面図、背面図、底面図、側断面図である。
椅子１０は、前脚部１１と、後脚部１２と、前脚１１及び後脚１２によって下方から支持された座部１３とを備える椅子本体１０Ａを有している。さらに、該椅子１０は、背当て１４と、肘置き１５とを備える背もたれ枠１０Ｂを有している。
【００１２】
まず上記椅子本体１０Ａについて説明する。
該前脚部１１は、左右一対が設けられている。左右一対の該前脚部１１のそれぞれの上端には、座側枠部１６が後方へ延びるように形成されている（図３参照）。該座側枠部１６の後端には、差込筒１７が上向きに延びるように形成されている（図１、図４参照）。これら前脚部１１、該座側枠部１６及び差込筒１７は、１本のパイプから屈曲形成されている。
左右の該前脚部１１で上端の間には、リンクバー１８が差渡されている。左右の該座側枠部１６で前端の間には、前側支持バー１９が差渡されている（図３、図４参照）。左右の該座側枠部１６で後端の間には、ロックバー２０が差渡されている（図３、図４参照）。そして、椅子本体１０Ａの上部に配置された左右一対の該差込筒１７は、背もたれ枠１０Ｂを取り付けるための装着部を構成している。
【００１３】
該前脚部１１は、前脚上部パイプ１１Ａと、該前脚上部パイプ１１Ａが内挿された前脚下部パイプ１１Ｂを有している（図４参照）。該前脚上部パイプ１１Ａには、挿通ピン１１Ｄが、該前脚上部パイプ１１Ａの内部から付勢され、かつ該前脚上部パイプ１１Ａの外周面上に突出するように設けられている。一方、該前脚下部パイプ１１Ｂには複数の止め孔１１Ｃが設けられている。該前脚部１１は、該挿通ピン１１Ｄを該前脚上部パイプ１１Ａ内に押し込みつつ、該前脚上部パイプ１１Ａに対して該前脚下部パイプ１１Ｂを移動させ、該挿通ピン１１Ｄが係合される止め孔１１Ｃを適宜変更することにより、長さ調節可能に構成されている。さらに、該前脚下部パイプ１１Ｂの下端には、ゴム製の滑り止めキャップ１１Ｅが取り付けられ、該前脚部１１が床上で滑ることを抑制している。
【００１４】
該後脚部１２は、左右一対が設けられている。左右一対の該後脚部１２のそれぞれの上端には、座支持枠部２１が前方へ延びるように形成されている（図３、図４参照）。これら左右一対の後脚部１２及び左右一対の該座支持枠部２１は、１本のパイプから屈曲形成されている。
該座支持枠部２１の先端（前端）は、該座部１３の下面で前後方向の中間部に設けられた回動座１３Ａに枢着されている（図３参照）。従って、該後脚部１２は該座支持枠部２１とともに、該座部１３に対し、上下方向で回動自在に構成されている。該座支持枠部２１と左右の該座側枠部１６とは、回動軸２３により、互いの前後方向の中間部でそれぞれ枢着されている。結果、該後脚部１２及び該座支持枠部２１と、該前脚部１１及び左右の該座側枠部１６とは、回動軸２３を中心に、互いに対して上下方向で回動自在に構成されている。また、左右の該座支持枠部２１で後端の間には、後側支持バー２２が差渡されている（図３、図４参照）。
【００１５】
該後脚部１２は、後脚上部パイプ１２Ａと、該後脚上部パイプ１２Ａが内挿された後脚下部パイプ１２Ｂとを有している（図４参照）。該後脚上部パイプ１２Ａには、挿通ピン１２Ｄが、該後脚上部パイプ１２Ａの内部から付勢され、かつ該後脚上部パイプ１２Ａの外周面上に突出するように設けられている。一方、該後脚下部パイプ１２Ｂには複数の止め孔１２Ｃが設けられている。該後脚部１２は、該挿通ピン１２Ｄを該後脚上部パイプ１２Ａ内に押し込みつつ、該後脚上部パイプ１２Ａに対して該後脚下部パイプ１２Ｂを移動させ、該挿通ピン１２Ｄが係合される止め孔１２Ｃを適宜変更することにより、長さ調節可能に構成されている。さらに、該後脚下部パイプ１２Ｂの下端には、ゴム製の滑り止めキャップ１２Ｅが取り付けられ、該後脚部１２が床上で滑ることを抑制している。
【００１６】
該座部１３は、その上面１３Ｂを座面として使用される。該座部１３の下面で前端部には、リンク座１３Ｃが設けられている。このリンク座１３Ｃと該前脚部１１のリンクバー１８との間には、リンク２４が差渡されている。該リンク２４は、該座部１３を該座支持枠部２１に対して回動させた場合に、該座部１３に連動して該前脚部１１及び該座側枠部１６を、該後脚部１２及び該座支持枠部２１に対して回動させるように機能している。
該座部１３の下面で前後方向の中間部における前側には、左右一対の前側支持座１３Ｄが設けられている。該前側支持座１３Ｄは、該座側枠部１６の該前側支持バー１９に載せられている。そして、該前側支持バー１９に該前側支持座１３Ｄが載せられることにより、該座部１３は、左右の該座側枠部１６の間に支持されている。
また該座部１３の下面で前後方向の中間部における後側には、左右一対の後側支持座１３Ｅが設けられている。該後側支持座１３Ｅは、該座支持枠部２１の該後側支持バー２２に載せられている。そして、該後側支持バー２２に該後側支持座１３Ｅが載せられ、かつ該座支持枠部２１の先端が該座部１３の下面に枢着されていることにより、該座部１３は、左右の該座支持枠部２１の上に支持されている。
【００１７】
該座部１３の後縁には、該座部１３の後縁部下面を凹状とし、かつ該凹状とされた箇所の天部を切り欠くことにより、把手２５が設けられている。該座部１３の後縁部下面で凹状とされた箇所の内側において、把手２５の下方には、操作ハンドル２６が設けられている。
該操作ハンドル２６は、左右一対の係合爪２７と、左右の該係合爪２７の先端部間（前端部間）に差出された断面横Ｌ字状の連結棒２８と、後端部間に差渡された丸棒状の掴みバー２９とからなる。該操作ハンドル２６において、各係合爪２７の一側面（外側面）で先端部には、軸３０が設けられている。該操作ハンドル２６は、軸３０が該座部１３の後縁部下面に枢着されることにより、該軸３０を中心に、該掴みバー２９が把手２５に接近又は離間するようにして上下方向へ回動できるように取り付けられている。また、該掴みバー２９は、該把手２５と平行で、かつ該座部１３の後縁よりも後方に突出しないように配置されている。
さらに、該係合爪２７の後端部上面と、該座部１３の後縁部下面で凹状とされた箇所の天面との間にはバネ３１が設けられている。該バネ３１は、該掴みバー２９が該把手２５から離間する方向（下方向）に該操作ハンドル２６を常時付勢している。そして、該バネ３１の付勢力によって付勢された該操作ハンドル２６は、該係合爪２７を該ロックバー２０に係合させている。
【００１８】
次に上記背もたれ枠１０Ｂについて説明する。
背もたれ枠１０Ｂは、左右一対の側枠１７Ａと、これら側枠１７Ａの上端を繋ぐ上枠１７Ｂとを有する。これら左右一対の側枠１７Ａと上枠１７Ｂは、１本のパイプをコの字形に屈曲して形成されている。
該背当て１４は、上枠１７Ｂに取り付けられている。該背当て１４は、上枠１７Ｂに対して固定してもよく、また回動自在に取り付けてもよい。該背当て１４を上枠１７Ｂに対して回動自在に取り付けた場合、使用者の体格などに合わせて該背当て１４の角度を調整できるという効果を奏する。なお、該背当て１４には把持孔１４Ａが設けられており、該把持孔１４Ａを利用して椅子１０を移動させたり、持ち上げたりすることが可能となっている。
該肘置き１５は、左右の側枠１７Ａそれぞれに取り付けられている。該肘置き１５は、側枠１７Ａに対して回動自在に取り付けてもよく、また固定してもよい。該肘置き１５を側枠１７Ａに対して回動自在に取り付けた場合、該椅子１０に被介護者が座る場合、あるいは該椅子１０を折り畳む場合に、該肘置き１５が邪魔にならないように上方へ回動させておくことができるという効果を奏する。
【００１９】
図５は椅子の装着部を拡大して示す斜視図であり、図６（ａ）は装着部を拡大して示す断面図である。
左右の差込筒１７の間には、腰当て部が差渡されている。該腰当て部は、各差込筒１７の上端部にそれぞれ設けられた管端キャップ３５と、両管端キャップ３５の間に差渡された腰当て３６とからなる（図１、図２参照）。該管端キャップ３５及び該腰当て３６は、合成樹脂を材料として一体成形されており、部品点数の削減と、椅子の組み立ての容易化が図られている。また該腰当て３６は、該腰当て３６に被介護者の尻が当てることにより、背当て１４と座部１３との間の空間に被介護者の尻が入り込んで該被介護者の腰が座部１３の後縁から下方へ落ち込むことを防止している。
【００２０】
該管端キャップ３５の周壁には一対の第１挿通孔３７が長孔状に切欠き形成されている。また該差込筒１７の上端には、一対の第２挿通孔３８が形成されている。各一対の第１挿通孔３７及び第２挿通孔３８は、それぞれ対向配置されている。さらに該管端キャップ３５は、その第１挿通孔３７内に該差込筒１７の第２挿通孔３８が位置するようにして、該差込筒１７の上端部に嵌着されている。
該側枠１７Ａは、該差込筒１７よりも細径とされ、該差込筒１７内に差し込まれる。また該側枠１７Ａの下端部には、複数対の第３挿通孔３９が上下方向に並んで形成されている。各一対の第３挿通孔３９は、それぞれ対向配置されている。
【００２１】
該側枠１７Ａが該管端キャップ３５及び該差込筒１７内に挿入された状態において、該第１挿通孔３７、該第２挿通孔３８及び該第３挿通孔３９をそれぞれ位置合わせしたうえで、第１挿通孔３７、該第２挿通孔３８及び該第３挿通孔３９に係合バー４０が挿入されている。該係合バー４０は、第１挿通孔３７、該第２挿通孔３８及び該第３挿通孔３９に挿通されることにより、該差込筒１７に対して該管端キャップ３５又は該側枠１７Ａを抜け止めしている。また、該第３挿通孔３９については、該係合バー４０が挿入される孔を上下で変更することにより、背もたれ枠１０Ｂの高さ調節が可能となっている。
【００２２】
該係合バー４０の根端には、切欠きリング４１が取り付けられている。該切欠きリング４１は、合成樹脂等の弾性を有する材料によってＣ環状に形成されている。該切欠きリング４１は、該係合バー４０が第１挿通孔３７、該第２挿通孔３８及び該第３挿通孔３９に挿通された状態で、第１挿通孔３７内に嵌合されている。また該切欠きリング４１は、弾性を有するため、該差込筒１７の周面を締め付けるように嵌着されている。該切欠きリング４１により、該係合バー４０は、第１挿通孔３７、該第２挿通孔３８及び該第３挿通孔３９からの抜出しを規制されており、該係合バー４０の抜け落ちによる該背もたれ枠１０Ｂの椅子本体１０Ａに対する不意の脱着が防止されている。
加えて、該切欠きリング４１が第１挿通孔３７内に嵌合される構成としたことにより、該切欠きリング４１の外面と該管端キャップ３５の外面との間に形成される段差は、わずかなものとなっている。このため、該段差を取り掛かりとして該切欠きリング４１に対し、該切欠きリング４１を引き抜こうとしたり、回転させようとしたりする力が不意には加わりにくくなり、該係合バー４０の抜け落ちをさらに好適に防止することができる。
なお、該第１挿通孔３７は、その内側に該切欠きリング４１が嵌合できるのであれば、必ずしもその一端と他端を同面積で開放させる貫通孔として構成する必要はない。例えば図６（ｂ）に示すように、第１挿通孔３７ａは、一端は切欠きリング４１を嵌合させるべく該切欠きリング４１にあわせて広く開放され、他端は該係合バー４０が挿入可能な程度に狭く開放された、謂わば有底孔として構成してもよい。
【００２３】
また一方、該側枠１７Ａが該管端キャップ３５及び該差込筒１７内に挿入されていない状態にあっても、切欠きリング４１は、該差込筒１７に対して該管端キャップ３５を抜け止めしている。すなわち、該切欠きリング４１は、該管端キャップ３５の第１挿通孔３７内に嵌合され、かつ該差込筒１７の周面に嵌着される。このため、該側枠１７Ａが該管端キャップ３５及び該差込筒１７内に挿入されていない状態にあっても、第１挿通孔３７及び該第２挿通孔３８に該係合バー４０を挿通しつつ、該切欠きリング４１を第１挿通孔３７内に嵌合することにより、該管端キャップ３５を抜止する。
【００２４】
該側枠１７Ａの下端には、チャック４２が取り付けられている。該チャック４２は、合成樹脂からなり、その下半部が該側枠１７Ａより太径で該差込筒１７の内径と同径あるいは若干太径となるように形成されている。該チャック４２は、該側枠１７Ａが該差込筒１７に挿入された際、その周面を該差込筒１７の内面に圧接させることで、椅子本体１０Ａに対する背もたれ枠１０Ｂのがたつきを防止している。
【００２５】
図７，図８は順番に、折り畳んだ状態とした椅子本体の正面図、側面図である。
該椅子本体１０Ａは、該座部１３の該把手２５とともに該掴みバー２９を握り込み、このまま該把手２５で該座部１３の後縁を掴んで持ち上げ、該座部１３の上面が前側となるように該座部１３を回動させることにより、リンク２４の働きによって該前脚部１１と該後脚部１２とが互いに接近し、折り畳むことができるようになっている。なお、当然ではあるが、該背もたれ枠１０Ｂを取り付けたままで該椅子本体１０Ａを折り畳むことも可能である。
【００２６】
折り畳んだ状態の椅子本体１０Ａは、座側枠部１６と座支持枠部２１とが互いの前後方向の中間部でそれぞれ枢着されているため、前脚部１１と後脚部１２とが間を空けて前後方向に並ぶように配置されており、自立させることができる。
折り畳んだ状態の椅子本体１０Ａは、該腰当て３６又は該把手２５を掴んで持ち運びされる。つまり、折り畳んだ状態の該椅子本体１０Ａにあっては、背もたれ枠１０Ｂの分だけ重量が軽く、さらには該腰当て３６又は該把手２５から前脚部１１あるいは後脚部１２の下端までの長さが短いため、前脚部１１あるいは後脚部１２が床につきづらい。従って、力のない者、特に高齢者、身障者等の被介護者であっても、前脚部１１あるいは後脚部１２が床につかないように持ち上げやすく、このため前脚部１１あるいは後脚部１２を床に引きずらせながら持ち運びせずともよい。
また該腰当て３６を掴んで椅子本体１０Ａを持ち運びする場合においても、該切欠きリング４１を該管端キャップ３５の該第１挿通孔３７に嵌めておくことで、該管端キャップ３５が該差込筒１７に対して抜止されており、安定して椅子本体１０Ａを持ち運びすることができる。
また該椅子１０は、該背もたれ枠１０Ｂを取り外した状態としても、該椅子本体１０Ａに該腰当て３６が取り付けられているため、被介護者の尻が該腰当て３６に当たるようにして該被介護者を安定かつ安心してして座らせることができる。
【００２７】
なお、本発明の椅子は、上記実施形態に限定されるものではなく、腰当ては、例えば、背もたれ枠の側枠の下端の間に設けてもよい。この場合、背もたれ枠を取り外せば腰当ても取り外すことができる。
また装着部は、実施形態の差込筒によって構成されることに限定されず、例えば管端キャップの上端から突出するように差入筒を設け、該差入筒を背もたれ枠の側枠内に差し入れるようにして装着部を構成してもよい。
また肘置き１５を省略して椅子を構成してもよい。
また実施形態では折り畳み可能な椅子としたが、例えば座部の下面に前脚及び後脚が固定された折り畳み不可能な椅子であってもよい。
【図面の簡単な説明】
【００２８】
【図１】実施形態の椅子を示す正面図。
【図２】実施形態の椅子を示す背面図。
【図３】実施形態の椅子を示す底面図。
【図４】実施形態の椅子を示す側断面図。
【図５】差込筒に側枠を挿入する状態を示す斜視図。
【図６】（ａ）は実施形態の管端キャップに側枠を挿入した状態を示す断面図、（ｂ）は別形態の管端キャップに側枠を挿入した状態を示す断面図。
【図７】折り畳まれた状態の椅子本体を示す正面図。
【図８】折り畳まれた状態の椅子本体を示す側面図。
【符号の説明】
【００２９】
１０    椅子
１０Ａ  椅子本体
１０Ｂ  背もたれ枠
１１    前脚部
１２    後脚部
１３    座部
１４    背当て
１７    差込筒
１７Ａ  側枠
３５    管端キャップ
３６    腰当て
３７    第１挿入孔
３８    第２挿入孔
３９    第３挿入孔
４０    係合バー
４１    切欠きリング
４２    チャック
【図１】
2008228811.tif 000003
【図２】
2008228811.tif 000004
【図３】
2008228811.tif 000005
【図４】
2008228811.tif 000006
【図５】
2008228811.tif 000007
【図６】
2008228811.tif 000008
【図７】
2008228811.tif 000009
【図８】
2008228811.tif 000010